(57)【要約】【課題】ランダムアクセス可能な記録メディアに記録された１つまたは複数の動画データの再生を行う映像信号再生装置に関し、レジューム情報が設定されているシーンおよび位置がユーザに分かり易く、レジューム機能をよりユーザが利用し易くなる。【解決手段】一覧表示するサムネイル画像を、対応する動画データの代表画とする第一のサムネイル画像指定部３０８と、一覧表示するサムネイル画像を、レジューム情報記憶手段に記憶されたレジューム情報に基づくレジューム位置画とする第二のサムネイル画像指定部３０９と、各動画データにおいて、レジューム情報記憶部３１０にレジューム情報が記憶されていない場合には、第一のサムネイル画像指定部３０８によりサムネイル画像を指定し、レジューム情報記憶部３１０にレジューム情報が記憶されている場合には、第二のサムネイル画像指定部３０９によりサムネイル画像を指定するサムネイル画像指定部３１１とを備える。【選択図】図３
2007164866.tif 000002
【特許請求の範囲】
【請求項１】
ランダムアクセス可能な記録メディアに記録された１つまたは複数の動画データの再生を行う映像信号再生装置において、
動画データの再生動作が停止された場合に、その停止された位置情報をレジューム情報として記憶するレジューム情報記憶手段と、
前記レジューム情報記憶手段に記憶しているレジューム情報を元に再生を再開させるレジューム機能手段と、
１つまたは複数の動画データを識別するためのサムネイル画像を一覧表示するサムネイル画面表示手段と、
一覧表示するサムネイル画像を、対応する動画データの代表画とする第一のサムネイル画像指定手段と、
一覧表示するサムネイル画像を、前記レジューム情報記憶手段に記憶されたレジューム情報に基づくレジューム位置画とする第二のサムネイル画像指定手段と、
各動画データにおいて、前記レジューム情報記憶手段にレジューム情報が記憶されていない場合には、前記第一のサムネイル画像指定手段によりサムネイル画像を指定し、前記レジューム情報記憶手段にレジューム情報が記憶されている場合には、前記第二のサムネイル画像指定手段によりサムネイル画像を指定するサムネイル画像指定手段とを備えたことを特徴とする映像信号再生装置。
【請求項２】
前記サムネイル画面表示手段によって一覧表示されたサムネイル画像の中から、ひとつのサムネイル画像を選択するサムネイル画像選択手段をさらに備え、
前記レジューム情報記憶手段にレジューム情報が記憶されている該当動画データのサムネイル画像を、前記サムネイル画像選択手段で選択されていない場合には第一のサムネイル画像指定手段により指定し、前記サムネイル画像選択手段で選択されている場合には第二のサムネイル画像指定手段により指定することを特徴とする請求項１記載の映像信号再生装置。
【請求項３】
前記レジューム情報記憶手段にレジューム情報が記憶されている該当動画データのサムネイル画像上に、レジューム情報が有効であることを示す識別情報を合わせて表示することを特徴とする請求項２記載の映像信号再生装置。
【請求項４】
前記レジューム情報記憶手段にレジューム情報が記憶されている該当動画データのサムネイル画像上に、レジューム位置の時間情報を合わせて表示することを特徴とする請求項２または３記載の映像信号再生装置。
【請求項５】
前記サムネイル画像選択手段にて、前記レジューム情報記憶手段にレジューム情報が記憶されている該当動画データのサムネイル画像を選択した場合に、
当該サムネイル画像上にレジューム位置の時間情報を表示することを特徴とする請求項２または３記載の映像信号再生装置。
【請求項６】
前記サムネイル画像選択手段にて、前記レジューム情報記憶手段にレジューム情報が記憶されている該当動画データのサムネイル画像を選択した場合に、
当該サムネイル画像上以外にレジューム位置の時間情報及び選択されたサムネイル画像の動画データの長さを示す時間情報を表示することを特徴とする請求項２または３記載の映像信号再生装置。
【請求項７】
前記レジューム情報記憶手段に、ひとつまたは複数のレジューム情報を記憶することを特徴とする請求項２ないし６のいずれかに記載の映像信号再生装置。
【請求項８】
前記サムネイル画面表示手段によって一覧表示されたサムネイル画像の中から、ひとつのサムネイル画像を選択するサムネイル画像選択手段をさらに備え、
前記レジューム情報記憶手段にレジューム情報が記憶されている該当動画データのサムネイル画像を、前記サムネイル画像選択手段での選択の有無によらず第二のサムネイル画像指定手段により指定することを特徴とする請求項１記載の映像信号再生装置。
【請求項９】
前記レジューム情報記憶手段にレジューム情報が記憶されている該当動画データのサムネイル画像上に、レジューム情報が有効であることを示す識別情報を合わせて表示することを特徴とする請求項８記載の映像信号再生装置。
【請求項１０】
前記レジューム情報記憶手段にレジューム情報が記憶されている該当動画データのサムネイル画像上に、レジューム位置の時間情報を合わせて表示することを特徴とする請求項８または９記載の映像信号再生装置。
【請求項１１】
前記サムネイル画像選択手段にて、前記レジューム情報記憶手段にレジューム情報が記憶されている該当動画データのサムネイル画像を選択した場合に、
当該サムネイル画像上にレジューム位置の時間情報を表示することを特徴とする請求項８または９記載の映像信号再生装置。
【請求項１２】
前記サムネイル画像選択手段にて、前記レジューム情報記憶手段にレジューム情報が記憶されている該当動画データのサムネイル画像を選択した場合に、
当該サムネイル画像上以外にレジューム位置の時間情報及び前記選択されたサムネイル画像の動画データの長さを示す時間情報を表示することを特徴とする請求項８または９記載の映像信号再生装置。
【請求項１３】
前記レジューム情報記憶手段に、ひとつまたは複数のレジューム情報を記憶することを特徴とする請求項８ないし１２のいずれかに記載の映像信号再生装置。
【請求項１４】
ランダムアクセス可能な記録メディアに記録された１つまたは複数の動画データの再生を行う映像信号再生方法において、
動画データの再生動作が停止された場合に、その停止された位置情報をレジューム情報として記憶し、
各動画データにおいて、前記レジューム情報が記憶されていない場合には、一覧表示するサムネイル画像を対応する動画データの代表画とし、前記レジューム情報が記憶されている場合には一覧表示するサムネイル画像を前記レジューム情報に基づくレジューム位置画として指定し、
前記指定に基づいて、前記動画データを識別するためのサムネイル画像を一覧表示する映像信号再生方法。
【発明の詳細な説明】
【技術分野】
【０００１】
本発明は、表示器や外部出力にて圧縮して記録された映像信号（動画データ）を再生するランダムアクセス可能なメディアを使用した映像信号再生装置（映像信号記録再生装置を含む）に関するものであり、特に、任意の位置からの映像信号再生情報の表示方法に関するものである。
【背景技術】
【０００２】
近年のデバイス技術の進展により、デジタル化された映像信号の記録メディアとしてテープメディアから、ＤＶＤに代表される光ディスクや、ＳＤ（商標）カードに代表されるフラッシュメモリへ記録を行う応用機器が普及し始めている。
【０００３】
これらのメディアは、従来のメディアであるテープなどと異なり、ランダムアクセスが可能である。そのため、従来のメディアではできなかった記録された動画データの代表画像をサムネイル画像として表示し、ユーザが容易に所望の動画を選択することができる機能が実現されている。
【０００４】
また、従来メディアであるテープなどと同様に、ユーザが動画データの途中で再生停止を行った場合、次に動画データを再生するときには再生停止を行った位置から再生を再開するレジューム再生機能が実現されている。
【特許文献１】特開２０００−３３１４６６
【特許文献２】特開２０００−１３８８８６
【発明の開示】
【発明が解決しようとする課題】
【０００５】
しかしながら、サムネイル表示された動画データの代表画像は、動画データの先頭もしくは任意の一定位置を使用している、もしくは動画データのイメージが容易である何らかの静止画データ、またはイメージが容易である位置もしくはその位置の画像データから生成した静止画に設定されているため、ユーザが再生再開時にどの位置から再生が再開されるのかを理解することが困難であった。
【課題を解決するための手段】
【０００６】
本発明の映像信号再生装置は、ランダムアクセス可能な記録メディアに記録された１つまたは複数の動画データの再生を行う映像信号再生装置において、動画データの再生動作が停止された場合に、その停止された位置情報をレジューム情報として記憶するレジューム情報記憶手段と、前記レジューム情報記憶手段に記憶しているレジューム情報を元に再生を再開させるレジューム機能手段と、１つまたは複数の動画データを識別するためのサムネイル画像を一覧表示するサムネイル画面表示手段と、一覧表示するサムネイル画像を、対応する動画データの代表画とする第一のサムネイル画像指定手段と、一覧表示するサムネイル画像を、前記レジューム情報記憶手段に記憶されたレジューム情報に基づくレジューム位置画とする第二のサムネイル画像指定手段と、各動画において前記レジューム情報記憶手段にレジューム情報が記憶されていない場合には、前記第一のサムネイル画像指定手段によりサムネイル画像を指定し、前記レジューム情報記憶手段にレジューム情報が記憶されている場合には、前記第二のサムネイル画像指定手段によりサムネイル画像を指定するサムネイル画像指定手段とを備えたことを特徴とする。
【０００７】
本発明の映像信号再生装置によると、レジューム情報が記憶されている動画データのサムネイル画像をレジューム位置画とすることで、ユーザが再生再開時にどの位置から再生が再開されるのかを容易に理解することができる。
【発明の効果】
【０００８】
本発明の映像信号再生装置によると、レジューム情報が設定されているシーンおよび位置がユーザに分かり易くなるため、レジューム機能をよりユーザが利用し易くなる。
【発明を実施するための最良の形態】
【０００９】
（実施の形態１）
実施の形態１における映像信号再生装置について、図１ないし図１７に基づいて説明する。
【００１０】
図１は映像信号再生装置の画面出力の説明図、図２は映像信号再生装置の操作パネル上のボタン配置図、図３は映像信号再生装置のブロック構成図を示している。
【００１１】
まず、映像信号再生装置のサムネイル画面表示の基本動作を説明する。
【００１２】
なお、以下の例では、現在、記録メディア内に再生可能な動画データが１２個存在し、ユーザがサムネイル画面表示動作を行った際に、１２番目のサムネイル画像が選択されている状態である。
【００１３】
映像信号再生装置が、ユーザにより記録メディア３０１に記録している動画データの一覧表示を指示されると、サムネイル画面表示部（サムネイル画面表示手段）３０６は、記録メディア３０１内に記録されている動画データの数をメディア情報管理部３０５より取得する。本実施の形態においては、１２個である。また、再生情報管理部３０７より、何番目のサムネイル画像が選択されているかの情報を取得する。本実施の形態においては、１２番目である。
【００１４】
サムネイル画面表示部３０６は、サムネイル画像以外の各種情報を示すアイコン１１３，１１４，１１５，１１６を映像信号入出力処理部３０３の出力画像メモリの所定位置に配置していく。
【００１５】
それぞれのアイコンは、以下の事項を示している。
【００１６】
アイコン１１３は、再生モードであることを示している。
【００１７】
アイコン１１４は、いくつ動画データがあり、どの動画データのサムネイル画像が選択されているかを、メディア情報管理部３０５および再生情報管理部３０７より取得し、その情報を元に表示を行っている。
【００１８】
アイコン１１５は、バッテリーの残量を示している。
【００１９】
アイコン１１６は、操作パネル上のボタン操作に関する説明を示している。
【００２０】
サムネイル画面表示部３０６は、各種情報を示すアイコン１１３，１１４，１１５，１１６を映像信号入出力処理部３０３の出力画像メモリの所定位置への配置が済むと、メディア情報管理部３０５にて取得した動画データの数と、表示可能なサムネイル画像数より、表示すべき動画データに対応したサムネイル画像の決定を行なう。本実施の形態では、動画データの数は１２個であり、表示可能なサムネイル画像数も１２個なので、１から１２番目の動画データすべてに対応したサムネイル画像を表示することとなる。
【００２１】
サムネイル画面表示部３０６は、映像信号処理部３０２に対し、１番目の動画データに対応したサムネイル画像の生成を指示する。映像信号処理部３０２は、記録メディア３０１から静止画データ（該当動画データから静止画データを生成もしくはあらかじめ記録しておいた静止画データ）を読み出し、サムネイル画像を生成する。
【００２２】
生成するサムネイル画像の種類は、第一のサムネイル画像指定部（第一のサムネイル画像指定手段）３０８、第二のサムネイル画像指定部（第二のサムネイル画像指定手段）３０９によって決定される。第一のサムネイル画像指定部３０８は、動画データの代表画をサムネイル画像とし、第二のサムネイル画像指定部３０９は、レジューム情報記憶部（レジューム情報記憶手段）３１０に記憶されたレジューム情報に基づくレジューム位置画をサムネイル画像とする。第一のサムネイル画像指定部３０８、第二のサムネイル画像指定部３０９のいずれに基づいてサムネイル画像を生成するかは、サムネイル画像指定部（サムネイル画像指定手段）３１１によって決定される。なお、第一のサムネイル画像指定部３０８、第二のサムネイル画像指定部３０９に基づいてサムネイル画像を生成する点についての詳細は後述する。
【００２３】
サムネイル画面表示部３０６は、１番目の動画データに対応した映像信号処理部３０２にて生成されたサムネイル画像を、図１の１０１の位置に対応する映像信号入出力処理部３０３の出力画像メモリの所定位置に配置する。
【００２４】
同様にして、サムネイル画面表示部３０６は、２から１２番目の動画データに対応したサムネイル画像を、それぞれ図１の１０２から１１２の位置に対応する映像信号入出力処理部３０３の出力画像メモリの所定位置に配置する。そして、１０１から１１２の位置に対応する映像信号入出力処理部３０３の出力画像メモリの所定位置に基づき、表示器/外部出力３０４にてサムネイル画像を表示する。
【００２５】
再生情報管理部３０７にて、１２番目のサムネイル画像が選択されているとの情報を取得しているので、１２番目のサムネイル画像を太い枠線で囲むなどして、現在選択されているサムネイル画像を認知しやすいように強調表示を行なう。
【００２６】
以上が、ユーザにより映像信号再生装置のサムネイル画面表示を指示された際の基本動作となる。
【００２７】
そして、この状態である時に、操作パネル上のボタン２０５が押されると、１２番目の動画データの再生を開始する。また、サムネイル表示画面が表示されている時に、操作パネル上のボタン２０１から２０４が押されると、選択するサムネイル画像を変更することができる。ボタン２０１は上のサムネイル画像へ、ボタン２０２は下のサムネイル画像へ、ボタン２０３は左のサムネイル画像へ、ボタン２０４は右のサムネイル画像への移動を行なう。また、この時に選択されたサムネイル画像に対して行っている太い枠線の強調表示も移動することになる。なお、これらボタン２０１から２０４がサムネイル画像選択手段となる。
【００２８】
以上が、サムネイル画面表示状態からのユーザが所望の動画データの再生を行なう基本動作となる。
【００２９】
以下に、映像信号再生装置のレジューム機能がＯＮである場合のサムネイル画面表示時におけるサムネイル画像選択動作の一例を説明する。なお、レジューム機能（レジューム機能手段）とは、レジューム情報記憶部３１０に記憶しているレジューム情報を元に再生を再開させる機能であり、この機能を使用する場合には映像信号再生装置に設けられたレジューム機能スイッチをＯＮにしておき、またレジューム機能を使用しない場合にはＯＦＦにしておく。
【００３０】
図４，５は、レジューム情報が記憶されている該当動画データが選択された場合に代表画からレジューム位置画（再生再開位置画像）への切り替えを行なう実施の一例であり、この時、１２番目の該当動画データにレジューム情報が記憶されている。そして、１番目のサムネイル画像１０１が選択されている状態（図４）から、１２番目のサムネイル画像１１２が選択されている状態（図５）となった時の画面出力の違いを示している。
【００３１】
また、図６は、サムネイル画像選択時におけるフローチャートである。ここで、記号ｉは、処理するサムネイル画面上のサムネイルのカウンタを示し、記号Ｎ はサムネイル画面上に表示するサムネイルの個数を示している。本実施の形態では、サムネイル画面上に１２個のサムネイルを表示するので、記号ｉは０から１１までの値となり、記号Ｎは１２となる。
【００３２】
まず、１番目のサムネイル画像１０１が選択されている状態である場合には、図６のステップＳ１１、ステップＳ１２と進み、ｉに０、Ｎに１２が入力され、ステップＳ１３にてレジューム機能がＯＮであるか否かが判断される。この時レジューム機能はＯＮであるので、ステップＳ１４に分岐する。ステップＳ１４では、現在レジューム設定されている動画データは１２番目の動画データであり、選択しているサムネイル画像の該当動画データとは異なるためステップＳ１７に分岐する。このステップＳ１４の判断をサムネイル画像指定部３１１にて行う。ステップＳ１７およびＳ１８では、第一のサムネイル指定部３０８により代表画をサムネイル画像として表示する。これを、本実施の形態では、ステップＳ１７の判断に基づき１から１２番目の動画データに対して繰り返す。つまり、この時には１から１２番目までのすべてのサムネイル画像が、該当動画データの第一のサムネイル指定部３０８による代表画となる。なお、ステップＳ１３にてレジューム機能がＯＦＦの場合には、ステップＳ１７およびＳ１８に進み、この時には１から１２番目までのすべてのサムネイル画像が、該当動画データの第一のサムネイル指定部３０８による代表画となる。
【００３３】
なお、第一のサムネイル指定部３０８による代表画は、例えば、以下のようにして生成される。あらかじめユーザにより設定されたレジューム情報を元に動画データ中の画像から生成する。動画データの先頭位置もしくはそれ以外の固定位置から生成する。動画データと別に記録した静止画を用いる。ユーザにより動画データ中の指定された位置からあらかじめ生成、記録しておいた静止画を用いる。動画データの先頭位置もしくはそれ以外の固定位置からあらかじめ生成、記録しておいた静止画を用いる。以上のいずれか、もしくは複数の組み合わせによって生成する。
【００３４】
次に、操作パネル上のボタン２０４を３回、ボタン２０２を２回押して、１２番目のサムネイル画像を選択する。この場合、図６のステップＳ１１、ステップＳ１２、ステップＳ１３、ステップＳ１４と進む。ステップＳ１４では、現在レジューム設定されている動画データは１２番目であり、選択しているサムネイル画像に対応する動画データであるため、ステップＳ１５へと分岐する。
【００３５】
ステップＳ１５の判断に基づき１から１２番目の動画データに対して、ステップＳ１６のレジューム情報設定動画であるか否かの判断を繰り返す。レジューム情報が設定されている動画が１２番目であるため、レジューム情報が設定されていない１から１１番目の動画データにおいては、ステップＳ１９の第一のサムネイル指定部３０８により、該当動画データの代表画をサムネイル画像として表示し、レジューム情報が設定されている１２番目の動画データは、ステップＳ２０の第二のサムネイル指定部３０９により、動画データ中のレジューム位置画をサムネイル画像として生成し表示を行なう。つまり、この場合には１番目のサムネイル画像が選択されている場合と異なり、１２番目のサムネイル画像だけが第一のサムネイル指定部３０８による代表画でないこととなる。このステップＳ１４，１５，１６の判断をサムネイル画像指定部３１１にて行う。
【００３６】
このように構成された映像信号再生装置によると、選択するサムネイル画像を移動する際に、どのサムネイル画像に該当した動画データのレジューム情報が設定されているか判断でき、またレジューム情報が設定されている動画データのサムネイル画像を選択する時にはレジューム位置の画像データが表示されるので、ユーザにとってレジューム機能が使用し易いものとなる。
【００３７】
図７ないし図１４に、実施の形態１の変形例を示す。なお、１２番目の該当動画データにレジューム情報が記憶されているものとする。
【００３８】
図７，８は、レジューム情報の設定されている該当動画データの１２番目のサムネイル画像上に、識別情報となるマーク"Ｒ"７０１を表示したものであり、１番目のサムネイル画像１０１が選択されている状態（図７）から、１２番目のサムネイル画像１１２が選択されている状態（図８）となった時の画面出力の違いを示している。
【００３９】
なお、識別情報は、"Ｒ"以外のマークや、画面に色の付いた枠を表示する等であってもよい。
【００４０】
図９，１０は、レジューム情報の設定されている該当動画データの１２番目のサムネイル画像上に、レジューム位置の時間情報９０１を表示したものであり、１番目のサムネイル画像１０１が選択されている状態（図９）から、１２番目のサムネイル画像１１２が選択されている状態（図１０）となった時の画面出力の違いを示している。
【００４１】
図１１，１２は、レジューム情報の設定されている該当動画データの１２番目のサムネイル画像上に、マーク"Ｒ"７０１を表示したものであり、１番目のサムネイル画像１０１が選択されている状態（図１１）から、１２番目のサムネイル画像１１２が選択されている状態（図１２）となった時、動画データの１２番目のサムネイル画像上に、マーク"Ｒ"７０１に加え、レジューム位置の時間情報９０１を表示する。
【００４２】
図１３，１４は、レジューム情報の設定されている該当動画データの１２番目のサムネイル画像上にマーク"Ｒ"７０１と、サムネイル画像以外の場所にレジューム位置の時間情報１３０１を表示したものであり、１番目のサムネイル画像１０１が選択されている状態（図１３）から、１２番目のサムネイル画像１１２が選択されている状態（図１４）となった時の画面出力の違いを示している。なお、レジューム位置の時間情報１３０１は、図１３の状態ではレジューム情報の設定されていないシーン１の場合は、シーン１の動画データの長さ(00:10:00)のみが右側に表示され、左側は設定時刻がない、つまり先頭から再生するので (00:00:00)と表示される。また。図１４の状態では、シーン１２の動画データの長さが右側に表示され、それに加えて左側にはレジューム位置の時間 (00:05:00) が左側に表示される。
【００４３】
なお、サムネイル画像上にマーク"Ｒ"７０１を表示せず、サムネイル画像以外の場所にレジューム位置の時間情報１３０１のみを表示するものであってもよい。また、レジューム位置の時間情報１３０１は、サムネイル画像１１２が選択されている状態においてのみ、レジューム位置の時間（00:05:00）を表示するものであってもよい。
【００４４】
以上の変形例によると、選択するサムネイル画像を移動する際に、どのサムネイル画像に該当した動画データのレジューム情報が設定されているかの判断をより一層行い易くなる。
【００４５】
また、以上の説明においては、レジューム情報をひとつ設定した場合であったが、設定できるレジューム情報はひとつとは限らず複数設定した場合でもこれらの手法を使用すれば、同様にレジューム情報の認知が容易となる。
【００４６】
例えば、図１５に示すように、４番目と１２番目の該当動画データにレジューム情報が記憶されており、レジューム情報の設定されている該当動画データの４番目と１２番目のサムネイル画像上には、マーク"Ｒ"７０１が表示されている。なお、マーク"Ｒ"７０１の表示は一例であって、図４，５のように単に選択によってレジューム位置画に切り替わるものや、図９ないし図１４のようにレジューム位置の時間情報を表示するものであってもよい。
【００４７】
１番目のサムネイル画像１０１が選択されている状態（図１５）から、４番目のサムネイル画像１０４が選択されている状態（図１６）となった時、４番目のサムネイル画像１０４が代表画からレジューム位置画へ切り替わり、１２番目のサムネイル画像１１２が選択されている状態（図１７）となった時、１２番目のサムネイル画像１１２が代表画からレジューム位置画へ切り替わる。
【００４８】
（実施の形態２）
実施の形態２における映像信号再生装置について、図１８ないし図２２に基づいて説明する。
【００４９】
実施の形態１では、レジューム情報が設定されている該当動画データのサムネイル画像を選択した場合のみ、第二のサムネイル指定部３０９によりレジューム位置の画像データに切り替える処理を行なっていたが、実施の形態２においては、サムネイル表示画面が表示した際には、常にレジューム位置情報が設定されている該当動画データのサムネイル画像を、第二のサムネイル指定部３０９によりレジューム位置の画像データをサムネイル画像として表示することを特徴とする。
【００５０】
実施の形態２における映像信号再生装置の画面出力、操作パネル上のボタン配置、映像信号再生装置のブロック構成については図１，２，３に示した例と同様である。
【００５１】
図１８，１９は、レジューム情報が記憶されている該当動画データが選択された場合の一例であり、この時、１２番目の該当動画データにレジューム情報が記憶されている。そして、１番目のサムネイル画像１０１が選択されている状態（図１８）から、１２番目のサムネイル画像１１２が選択されている状態（図１９）となった時の画面出力の違いを示している。
【００５２】
また、図２０は、サムネイル画像選択時におけるフローチャートである。なお、図６に示した例と同一部分は同一符号を付してその説明を省略する。図６との違いは、ステップＳ１３にてレジューム機能がＯＮの場合、ステップＳ１５、ステップＳ１６へ進む点である。ステップＳ１５、ステップＳ１６では、レジューム情報が設定されている動画が１２番目であるため、１から１１番目のサムネイル画像は、ステップＳ１９の第一のサムネイル指定部３０８により、該当動画データの代表画をサムネイル画像として表示する。そして、レジューム情報が設定されている１２番目のサムネイル画像は、ステップＳ２０の第二のサムネイル指定部３０９により、動画データ中のレジューム位置画をサムネイル画像して生成し表示を行なう。このステップＳ１５，１６の判断をサムネイル画像指定部３１１にて行う。
【００５３】
このように構成された映像信号再生装置によると、サムネイル画面表示においてサムネイル画像を選択していない場合であっても、どのサムネイル画像に該当した動画データのレジューム情報が設定されているか判断でき、またレジューム位置の画像データが表示されるので、ユーザにとってレジューム機能が使用し易いものとなる。
【００５４】
図２１および図２２に、実施の形態２の変形例を示す。なお、１２番目の該当動画データにレジューム情報が記憶されているものとする。
【００５５】
図２１，２２は、レジューム情報の設定されている該当動画データの１２番目のサムネイル画像上に、識別情報となるマーク"Ｒ"７０１を表示したものであり、１番目のサムネイル画像１０１が選択されている状態（図２１）から、１２番目のサムネイル画像１１２が選択されている状態（図２２）となった時の画面出力の違いを示している。
【００５６】
なお、マーク"Ｒ"７０１の表示は一例であって、マーク"Ｒ"以外の識別情報を表示したり、レジューム位置の時間情報を表示したりするものであってもよい。
【産業上の利用可能性】
【００５７】
デジタルビデオカメラやデジタルビデオレコーダーなどのランダムアクセス可能なメディアを使用する映像信号再生装置および映像信号記録再生装置などに適用できる。
【図面の簡単な説明】
【００５８】
【図１】本発明における映像信号再生装置の画面出力の説明図
【図２】本発明における映像信号再生装置の操作パネル上のボタン配置図
【図３】本発明における映像信号再生装置のブロック構成図
【図４】実施の形態１における画面出力の説明図
【図５】実施の形態１における画面出力の説明図
【図６】実施の形態１におけるサムネイル画像選択時のフローチャート
【図７】実施の形態１における変形例（マークを表示）の画面出力の説明図
【図８】実施の形態１における変形例（マークを表示）の画面出力の説明図
【図９】実施の形態１における変形例（時間情報を表示）の画面出力の説明図
【図１０】実施の形態１における変形例（時間情報を表示）の画面出力の説明図
【図１１】実施の形態１における変形例（マークおよび時間情報を表示）の画面出力の説明図
【図１２】実施の形態１における変形例（マークおよび時間情報を表示）の画面出力の説明図
【図１３】実施の形態１における変形例（マークおよびサムネイル画像上以外のエリアに時間情報を表示）の画面出力の説明図
【図１４】実施の形態１における変形例（マークおよびサムネイル画像上以外のエリアに時間情報を表示）の画面出力の説明図
【図１５】実施の形態１における変形例（レジューム情報を複数設定）の画面出力の説明図
【図１６】実施の形態１における変形例（レジューム情報を複数設定）の画面出力の説明図
【図１７】実施の形態１における変形例（レジューム情報を複数設定）の画面出力の説明図
【図１８】実施の形態２における画面出力の説明図
【図１９】実施の形態２における画面出力の説明図
【図２０】実施の形態２におけるサムネイル画像選択時のフローチャート
【図２１】実施の形態２における変形例（マークを表示）の画面出力の説明図
【図２２】実施の形態２における変形例（マークを表示）の画面出力の説明図
【符号の説明】
【００５９】
１０１〜１１２  動画データのサムネイル画像
３０１  記録メディア
３０２  映像信号処理部
３０３  映像信号入出力処理部
３０４  表示/外部出力
３０５  メディア情報管理部
３０６  サムネイル画面表示部（サムネイル画面表示手段）
３０７  再生情報管理部
３０８  第一のサムネイル画像指定部（第一のサムネイル画像指定手段）
３０９  第二のサムネイル画像指定部（第二のサムネイル画像指定手段）
３１０  レジューム情報記憶部（レジューム情報記憶手段）
３１１  サムネイル画像指定部（サムネイル画像指定手段）
７０１  マーク"Ｒ"（識別情報）
９０１、１３０１  レジューム位置の時間情報
【図１】
2007164866.tif 000003
【図２】
2007164866.tif 000004
【図３】
2007164866.tif 000005
【図４】
2007164866.tif 000006
【図５】
2007164866.tif 000007
【図６】
2007164866.tif 000008
【図７】
2007164866.tif 000009
【図８】
2007164866.tif 000010
【図９】
2007164866.tif 000011
【図１０】
2007164866.tif 000012
【図１１】
2007164866.tif 000013
【図１２】
2007164866.tif 000014
【図１３】
2007164866.tif 000015
【図１４】
2007164866.tif 000016
【図１５】
2007164866.tif 000017
【図１６】
2007164866.tif 000018
【図１７】
2007164866.tif 000019
【図１８】
2007164866.tif 000020
【図１９】
2007164866.tif 000021
【図２０】
2007164866.tif 000022
【図２１】
2007164866.tif 000023
【図２２】
2007164866.tif 000024